(57)【特許請求の範囲】
【請求項１】
木質繊維板の積層体と、前記積層体の表面側に積層された紙系緩衝材と、裏面側に配設された水溶性補強糸入り防湿紙とが水溶性縫着糸にて縫着一体化されていることを特徴とする畳床。
【請求項２】
木質繊維板と発泡樹脂板の積層体と、前記積層体の表面側に積層された紙系緩衝材と、裏面側に配設された水溶性補強糸入り防湿紙とが水溶性縫着糸にて縫着一体化されていることを特徴とする畳床。
【請求項３】
請求項１又は２に記載の畳床と、その表面に敷設された紙製の畳表と、周縁に取り付けられた縁とが水溶性縫着糸にて縫着一体化されていることを特徴とする畳。
【請求項４】
水溶性縫着糸が６０℃以上の熱水に対して溶解するものであることを特徴とする請求項１〜３のいずれかに記載の畳床又は畳。
【発明の詳細な説明】
【０００１】
【発明の属する技術分野】
本発明は、繰り返して再生が容易な畳床本体又は畳床並びに前記畳床を使用した畳に関する。
【０００２】
【従来の技術】
古くから畳床材料として藁が一般的に使用されてきた。処が、農業の機械化と日本人の米離れのために畳床材料としての藁が枯渇し、最近では木質繊維板の積層体が主として畳床材料として使用されている。一方、大量消費のツケとして大量の廃棄物が溢れ、埋め立て地やごみ処理施設の新設は今や限界に出している。その抜本的解決策として、リサイクル法案が成立し、すべての素材に対しリサイクルすることが法的に要求されるようになった。畳もその一環としてリサイクルすることが要求されている。
【０００３】
従来の畳床は、表面から緩衝材、木質繊維板(或いは、発泡ポリスチレンボード)、ポリプロピレンクロス防湿シートを積層し、これらをビニロン糸若しくはポリプロピレン糸で縫着一体化している。木質繊維板や紙類は水に分散させて再抄造することによって木質繊維板に再生可能であるが、使用済みの古畳や製造時の裁断屑からこれらだけを取り出すには、古畳や裁断屑を解体し、水に溶けて分散しないビニロン糸若しくはポリプロピレン糸等の縫着糸や同じく水に溶けて分散しない防湿シートなどの樹脂材料を取り除く必要があり、この作業に多大の労力とコストがかかるためリサイクルのネックとなっていった。
【０００４】
特に、樹脂製縫着糸は木質繊維板に一定間隔で縫い込まれており、これを木質繊維板から除去することは非常に困難であり、これが畳材料のリサイクルを妨げる最大のネックであった。また、分別された樹脂材料も再利用が困難なものが多く焼却処分が必要であり、環境負荷が大きいという問題もあった。
【０００５】
【発明が解決しようとする課題】
本発明は前述した古畳や裁断屑のリサイクルの最大のネックである縫着糸を水溶性とすることで、これら畳材料の分解が人手をかけることなく可能とし、これによって畳材料のリサイクルを実現することを課題とするものである。
【０００６】
【課題を解決するための手段】
「請求項１、２」は畳床(B)に関し、「請求項１」は「木質繊維板(1a)の積層体(2)と、前記積層体(2)の表面側に積層された紙系緩衝材(4)と、裏面側に配設された水溶性補強糸入り防湿紙(5)とが水溶性縫着糸(3)にて縫着一体化されている」ことを特徴とし、「請求項２」は「木質繊維板(1a)と発泡樹脂板(1b)の積層体(2)と、前記積層体(2)の表面側に積層された紙系緩衝材(4)と、裏面側に配設された水溶性補強糸入り防湿紙(5)とが水溶性縫着糸(3)にて縫着一体化されている」ことを特徴とする。
【０００８】
「請求項３」は「請求項１又は２」に記載の畳床(B)を使用した畳(C)に関し、「請求項１又は２に記載の畳床(B)と、その表面に敷設された紙製の畳表(6)と、周縁に取り付けられた縁(7)とが水溶性縫着糸(8)にて縫着一体化されている」ことを特徴とし、これらに使用される水溶性縫着糸(3)や水溶性縫着糸(8)が「６０℃以上の熱水に浸漬されることによって溶解されるものである」ことを特徴とする。
【０００９】
これらはいずれも水溶性縫着糸(3)や水溶性縫着糸(8)にて縫着一体化されている点に大きな特徴がある。即ち、水溶性縫着糸(3)や水溶性縫着糸(8)にて縫着一体化されているので、これらにある条件、６０℃以上の熱水に浸漬することによってこれらが溶解切断してしまい、これらの解体が極めて容易になる。その結果、発泡樹脂板(1b)のような水に不溶性の材料が組み込まれてきたとしても木質繊維板等の水分散性材料から簡単に分別することができ、水分散性材料のリサイクルが手間ひまかけず実現できる。
【００１０】
また、木質繊維板(1a)だけで構成された畳床本体(A)、或いはこれに紙系緩衝材(4)と、裏面側に配設された水溶性補強糸入り防湿紙(5)が積層された畳床(B)、またはこの畳床(B)に紙製の畳表(6)や縁(7)が水溶性縫着糸(8)にて縫着一体化された畳(C)にあっては、全体が水分散性材料で構成されていたそのまま６０℃以上の熱水に浸漬するだけで解体・分散してしまい、そのまま抄造することで木質繊維板(1a)に再生することができる。
【００１１】
【発明の実施の形態】
以下、本発明を図示実施例に従って詳述する。畳床本体(A)は木質繊維を抄造にて形成した木質繊維板(1a)を複数枚積層したものや、木質繊維板(1a)と例えばポリスチレンフォーム、ポリウレタンフォーム、ポリエチレンフォーム、ポリプロピレンフォームのような発泡樹脂板(1b)とを積層したものなど用途によって色々なものがある。前記木質繊維板(1a)は水に投入されるとＬ.ハイドロパルパーにて撹拌することによって元の木質繊維に戻る。これに対して発泡樹脂板(1b)は樹脂製であるから水分散性でなくリサイクルする場合は木質繊維板(1a)と分離する必要がある。
【００１２】
紙系緩衝材(4)は厚手のボール紙のようなもので、畳床本体(A)の表面に敷設されて畳床(B)の表面に緩衝性を付与するものである。また、畳床本体(A)の裏面に敷設される防湿紙(5)はクラフト紙(５０〜７５ｇ／ｍ2)のような高強度の紙を積層して形成されており、その間に水溶性補強糸(9)が格子状に配設されている。単なる防湿紙(5)では、引き裂き強度も小さく、また畳床(B)を縫着する場合に縫着糸(3)の張力に負けて破ることがあるため、補強糸(9)入りのものを使用することで強度の改善が図られる。
【００１３】
図の実施例では畳床本体(A)の表面側に紙系緩衝材(4)が敷設され、裏面側に防湿紙(5)が敷設され、この３者が水溶性縫着糸(3)にて縫着一体化されている例が示されているが、勿論、これに限られず畳床本体(A)だけを水溶性縫着糸(3)にて縫着一体化した後、紙系緩衝材(4)を畳床本体(A)の表面側に敷設し、且つ裏面側に防湿紙(5)を敷設し、これらを水溶性縫着糸(3)にて縫着一体化してもよい。以下の実施例には、図に示す前者を代表例として説明する。
【００１４】
前記水溶性縫着糸(3)や防湿紙(5)に挟み込まれる水溶性補強糸(9)及び後述する縁(7)を縫着する水溶性縫着糸(8)は、カルボキシルメチルセルロース糸、カルボキシルエチルセルロース糸、水溶性ビニロン樹脂製の糸、アクリル酸樹脂製の糸などがあり６０℃以上の熱水に浸漬された場合、溶解する性質を持っている。通常、縫着糸として使用されているビニロン糸の強度と同等のものとしては、水溶性のポリビニールアルコール糸(商品名：クラロンＫII  クラレ製)を紡
糸・撚糸したものが好適である。
【００１５】
また、畳表(6)は従来の「い草」を用いたものも使用できるが、和紙を撚って「い草」と同程度の太い紐状物(6a)を形成し、紐状物(6a)を編み上げて畳表(6)としてもよい。以下の実施例では紙製畳表(6)をその代表例として説明する。また、畳(C)の長辺には縁(7)が縫着されているが、この縁(7)も従来の布製のものを使用してもよいが、水溶性縫着糸(3)と同様の水溶性糸を織設して形成した水溶性縁を用いてもよい。
【００１６】
図に示すように木質繊維板(1a)の積層体(2)や木質繊維板(1a)と発泡樹脂板(1b)の積層体(2)で構成された畳床本体(A)の表面側に紙系緩衝材(4)を敷設し、裏面側に水溶性補強糸入り防湿紙(5)を張設し、これら３者を所定の間隔で水溶性縫着糸(3)にて縫着し一体化する。
【００１７】
続いて、紙製畳表(6)を紙系緩衝材(4)の上に敷設し、その周囲を水溶性縫着糸(3)にて縫着すると共にその長辺に縁(7)をあてがい、水溶性縫着糸(8)にて縫着一体化する。このようにして形成された畳(C)は、たとえば和室の床面に敷設されて使用される。前述のようにこの畳(C)で使用される水溶性縫着糸(3)(8)はいずれも６０℃以上の熱水に浸漬されて初めて溶解するものであるから、日常の水拭掃除や水をこぼした時の水濡れ程度でその強度を低下させるようなものでなく、日常の使用に差し支えの生じるようなことがない。
【００１８】
畳(C)の耐用年数が過ぎ、新しい畳と交換された古畳(C)や工場で発生した裁断屑はリサイクル工場に送られリサイクル処理される。古畳(C)や裁断屑が畳表(6)及び縁(7)を含めて全体が水分散性材料で構成されている場合、古畳(C)等全体を６０℃以上の熱水に投入し、古畳(C)等全体を分散・溶解し、木質繊維板(1a)の再生素材ととする。これに対して、「い草」製の畳表(6)及び布製縁(7)或いは発泡樹脂板(1b)のような不溶性素材が含まれている場合には、まず古畳(C)等全体を６０℃以上の熱水に投入して水溶性縫着糸(3)(8)を溶解し古畳(C)等を分解する。水溶性縫着糸(3)(8)は６０℃以上の熱水中で自動的に溶けるので、人手をかけることなく古畳(C)の分解が行なえる。そして同時に、水分散性の木質繊維板(1a)や紙系緩衝材(4)、防湿紙(5)も分散・溶解するので、そのまま攪拌していくと次第に分解した前記木質繊維板(1a)や紙系緩衝材(4)、防湿紙(5)も分散・溶解していき、最終的に不溶性素材だけが表面に浮き上がり簡単に分別できるようになる。このようにして水に分散・溶解された木質繊維は、抄造されて木質繊維板(1a)に再生される。
【００１９】
【発明の効果】
以上のように、本発明にあっては木質繊維板の積層体や、木質繊維板と発泡樹脂板との積層体、或いはこれら積層体と、積層体の表面に敷設した紙系緩衝材及びその裏面に配設した水溶性補強糸入り防湿紙で構成された畳床全体、若しくは畳床とその表面に敷設された畳表及び縁を水溶性縫着糸で縫着してあるので、古畳や裁断屑を水、(特に、６０℃以上の熱水)に浸漬すると水溶性縫着糸が最初に溶解・分散し、古畳や裁断屑が人手をかけることなく自動的に分解され、更に古畳や裁断屑中の水分散性素材がそのまま溶解・分散し、不溶性素材が含まれている場合には簡単に分離することができ、水分散性素材のリサイクルが極めて容易になるという利点がある。古畳や裁断屑全体が水分散性素材で構成されている場合には、水に投入するだけでリサイクルに供することができる。
【図面の簡単な説明】
【図１】本発明の畳の部分斜視図
【符号の説明】
(1a)  木質繊維板
(2)  積層体
(3)  水溶性縫着糸
【図１】
0003857545.tif 000002